(57)【要約】【課題】  データの改竄等を防止しセキュリティーを高める【解決手段】  ＩＣ１（１１１）とＩＣ２（１１２）とを結ぶ配線Ｌ９１の位置と重なる場合には、配線Ｌ９１が切断される。配線Ｌ９１が切断されると、利用者が意図しないタグの機能の切替が発生してしまい、使用上不都合が生じる。このような問題に対応するための配線の配置の工夫として、タグＡとタグＢは、基板の端部からの距離の異なる第１の配線Ｌ９１と第２の配線Ｌ９２とを設けている。これにより、一方の配線（第１の配線Ｌ９１）が何らかの原因により切断されても、もう一本の配線Ｌ９２が存在しているため、配線が切断されたとは判断されない。従って、破損などに起因するタグの切り離しに関する誤判断を防止することができる。【選択図】  図１１
2006119899.tif 000002
【特許請求の範囲】
【請求項１】
基板と、該基板に設けられ、Ａ１からＡｎまでのｎ（ｎは、ｎ≧１の自然数）箇所の切り離し可能部分と、前記Ａ１からＡｎまでの切り離し可能部分以外の部分Ｂと、から構成され、前記切り離し可能部分Ａｋ（ｋは、１≦ｋ≦ｎの自然数）に、それぞれタグＩＣｋが設けられているＩＣタグであって、
前記Ｂの部分に設けられるタグＩＣｎ＋１と、前記ＩＣｋと前記ＩＣｋ＋１とを電気的に結合するとともに、前記Ａｋが切り離された場合にその電気的な信号接続が切断される信号線路Ｌｋと、を有し、
前記切り離し可能部分Ａｋを、Ａ１からＡｎへと順番に切り離す毎に、前記信号線路Ｌｋの切断を検知してタグの機能が第１の機能から第ｎ＋１まで順次変化するＩＣタグ。
【請求項２】
前記基板に設けられ、前記切り離し可能部分の一部が切り離されただけでは電気的な切り離しが発生しない第１の配線パターンを有することを特徴とする請求項１に記載のＩＣタグ。
【請求項３】
前記第１の配線パターンは、前記切り離し可能部分と前記切り離し可能部分以外の部分とを切り離すための切り離し線を複数本並列に配置されていることを特徴とする請求項２に記載のＩＣタグ。
【請求項４】
前記切り離し線が前記基板に断続的に設けられた穴部を有しており、前記第１の配線パターンは前記穴部以外の位置で前記切り離し可能交差することを特徴とする請求項３に記載のＩＣタグ。
【請求項５】
前記切り離し線及びその近傍に、前記第１の配線と交差する第２の配線が設けられていることを特徴とする請求項４に記載のＩＣタグ。
【請求項６】
前記第２の配線は、前記穴部を避けた位置に設けられていることを特徴とする請求項５に記載のＩＣタグ。
【請求項７】
前記第１の配線パターンは、前記タグＩＣｎ＋１がそれぞれ設けられる複数の前記基板間において該基板面の放線方向に接続されることを特徴とする請求項２に記載のＩＣタグ。
【請求項８】
前記第１の配線パターンは、複数の前記基板間に重ねられるシートの両面に形成されていることを特徴とする請求項７に記載のＩＣタグ。
【請求項９】
前記切り離し可能部分と前記切り離し可能部分以外の部分とを切り離すための切り離し線が、切り離し方向に沿って断続的に前記基板に設けられた貫通孔を有していることを特徴とする請求項１に記載のＩＣタグ。
【請求項１０】
前記切り離し可能部分と前記切り離し可能部分以外の部分とを切り離すための切り離し線が、前記基板端部に設けられた切り欠け部を含むことを特徴とする請求項８に記載のＩＣタグ。
【請求項１１】
前記切り離し可能部分と前記切り離し可能部分以外の部分とを切り離すための切り離し線が、切り離し方向に沿って連続して前記基板に設けられた凹部を有していることを特徴とする請求項１に記載のＩＣタグ。
【請求項１２】
それぞれに前記タグＩＣｎ＋１が形成されている複数の前記基板間において、前記タグＩＣｎ＋１同士を前記基板の法線方向に一部領域内において接続する接続部を有していることを特徴とする請求項２に記載のＩＣタグ。
【請求項１３】
前記複数の前記基板間の前記一部領域以外の領域において前記基板と重ねられる絶縁シートを有することを特徴とする請求項１２に記載のＩＣタグ。
【請求項１４】
前記基板に設けられ、前記切り離し可能部分の一部が切り離されただけで電気的な切り離しが発生する第２の配線パターンを有することを特徴とする請求項１に記載のＩＣタグ。
【請求項１５】
前記第２の配線パターンは、前記切り離し可能部分と前記切り離し可能部分以外の部分とを切り離すための切り離し線に沿って蛇行するように設けられていることを特徴とする請求項１４に記載のＩＣタグ。
【請求項１６】
前記切り離し可能部分と前記切り離し可能部分以外の部分とを切り離すための切り離し線は、前記ＩＣタグを貼付する容器内に収容された内容物によって切り離しの条件が変化することを特徴とする請求項１に記載のＩＣタグ。
【発明の詳細な説明】
【技術分野】
【０００１】
本発明は、タグの一部に切り離しによる機能変更手段を備えたＩＣタグに関するものである。
【背景技術】
【０００２】
近年、商品流通・在庫管理、店舗での精算処理及び盗難防止などを目的とし、紙やプラスチック等の絶縁体の上にアンテナとＩＣチップを備えたＩＣタグと、ＩＣタグと通信を行なうリーダー／ライター装置で構成された、例えば図８に示すようなタグシステムが注目を集めている。図８に示すように、このタグシステムにおいて使用される代表的なＩＣタグとしては、リーダー／ライター装置２５０とタグとの通信に電波を使用する、ＲＦ部、変調／復調部、データ記憶部、を備えたＩＣ２０（２１０）とアンテナ２０１とにより構成された、非接触型のＩＣタグ（ＲＦＩＣタグ）２００がある。その他の部材についての説明は省略する。
【０００３】
図９は、一般的なＩＣタグの構造例を示す斜視図である。図９に示すように、紙やプラスチック等の絶縁体基板９０上に、コイルアンテナ２０１とＩＣチップ２１０を積層して構成されたＲＦＩＣタグである。このように、ＩＣタグは比較的簡素な構成を有している。
【０００４】
【特許文献１】特開平９−６２９３４号公報
【発明の開示】
【発明が解決しようとする課題】
【０００５】
商品に貼付して用いられるタグの性質上、上記背景技術で説明したＲＦＩＣタグに代表されるＩＣタグは、小型軽量であることが求められる。そのため、ＩＣタグに搭載されるＩＣの回路構成は、単純な構成とならざるを得ず、データ改竄防止用のハードウェアやソフトウェアをＩＣに搭載することは難しかった。このため、従来のＩＣタグには、データの改竄が容易であるという問題点が存在していた。
【０００６】
本発明は、ＩＣタグにおいて、データの改竄等を防止しセキュリティーを高めることを目的とする。また、本発明は、種々の用途に適したタグの構造を提供することを目的とする。
【課題を解決するための手段】
【０００７】
本発明は、ＩＣタグに切り離し可能部分を設け、前記切り離し可能部分をタグから切り離すことにより、ＩＣタグに対するデータ入力、及びＩＣタグからのデータ出力に対する制限を変化させ、データの改竄を防止する。ＩＣタグで行なう信号処理を変更、或いは格納データの自動的な更新、変更等、ＩＣタグの機能の変更を、リーダー／ライター装置を用いず、人の手により変更できる。
【０００８】
ＩＣタグの外観の変化とＩＣタグの機能変化を連動させることで、ＩＣタグの機能が、どのような状態にあるかを人が目視で把握できる。
【０００９】
また、切り離し部分の切り離しによって、切断される信号線路、バイアス線路等の形状寸法、及びそのレイアウトを工夫（外部からの衝撃が加わった場合、前記信号線路、バイアス線路等が容易に切断する。或いは、逆に切り離し部分を完全に切り離さない限り、前記信号線路、バイアス線路等が切断されない。）することで、ＩＣタグを添付する物の用途と特性に応じて、使い勝手を向上させる。
【００１０】
例えば、ＩＣタグの切り離し部について、切り離しに伴い機能変化が生じるＩＣタグで、切り離し部の一部が切り離されただけでは電気的な切り離しが発生しない配線パターンを有するＩＣタグである。
【００１１】
また、切り離しに伴い機能変化が生じるＩＣタグで、切り離し部の一部が切り離されることで電気的な切り離しが起きる配線パターンを有するＩＣタグ。
【００１２】
切り離しに伴い機能変化が生じるＩＣタグで、切り離し部が条件変化により変化し電気的な切り離しが行われるＩＣタグである。
【発明の効果】
【００１３】
本発明によれば、ＩＣタグには、切り離し可能部分を切り離すことで、従来の単機能型のＩＣタグでは実現できなかった、機械的手段などを用いずに良いＩＣタグの機能変更を容易に実現できる。切り離し可能部分を切り離すことにより、ＩＣタグの外観を変化させ、ＲＦＩＣタグの状態を目視で把握することができる。タグの切り離し状態に応じて、データの入出力制限を設けることで、データの改竄に対するセキュリティを向上させることができる。
【００１４】
タグの機能を複数のＩＣに分担させることで、順番に従って、切り離し可能部分を切り離さないと、適切な機能変化が生じないようにすることで、セキュリティを向上させる。
【００１５】
切り離した切り離し可能部分を、独立したＩＣタグとして使用することができる、等の従来のＩＣタグでは容易に得られなかった効果を得る事ができる。
【００１６】
さらに、切り離し可能部分の配線等の構成を工夫することで、ＩＣタグの切り離し時の使い勝手を向上できる。また、ＩＣタグの切り離し部の素材を変更することで、外部環境の変化でＩＣタグの機能変更を起すことが出来る。このように、用途に応じて種々の構成をとることにより、ＩＣタグの使い勝手も良くすることができる。
【発明を実施するための最良の形態】
【００１７】
以下に実施の形態によるＩＣタグについて図面を参照しつつ説明を行う。図１に、タグ本体からの切り離し可能部分の数ｎが、ｎ＝２の本出願発明の前提条件となる切り離し可能部分を切り離すことで機能の変化するＩＣタグの構成図を示す。
【００１８】
図１は、タグ本体からの切り離し可能部分の数ｎが、ｎ＝２の場合の切り離し可能部分を切り離すことにより機能が変化するＩＣタグの一構成例を示す図である。図１に示すＩＣタグは、切り離し可能なＡ１、Ａ２部分と非切り離し部分Ｂ（タグ本体）との３つの部分から構成されている。部分Ａ１、Ａ２、及びＢは、それぞれＩＣ１、ＩＣ２、及びＩＣ３と、タグと外部（タグとの間でデータのやり取りを行うリーダ／ライター装置）のインタフェースとしての、アンテナ１、アンテナ２、及びアンテナ３を備えている。
【００１９】
そしてＩＣ１（１０）とＩＣ２（２０）とは、ＩＣ１（１０）とＩＣ２（２０）間の信号伝送用の信号線路Ｌ１により、ＩＣ２（２０）とＩＣ３（３０）とは、ＩＣ２（２０）とＩＣ３（３０）間の信号伝送用の信号線路Ｌ２が、それぞれ繋いでいる。信号線路Ｌ１は、Ａ１がタグ本体から切り離された場合に、切断されるように配線され、同様に信号線路Ｌ２も、Ａ２がタグ本体から切り離された場合、切断されるようなレイアウトで配線されている。
【００２０】
尚、前記ＩＣ１、ＩＣ２、及びＩＣ３から、共通ＧＮＤに接続されている線路ＳＬ１２、ＳＬ２１はＡ１部分がタグ本体から切り離された場合に、線路ＳＬ２３、ＳＬ３２はＡ２部分がタグ本体から切り離された場合に、それぞれ切断されるように、Ａ１とＡ２の切り離し境界線、或いはＡ２とＢの切り離しのための境界線に跨るようにレイアウトされて配線されている。線路ＳＬ１２、ＳＬ２１、ＳＬ２３、及びＳＬ３２は、線路切断によって発生する線路のインピーダンスの変化を検出し、Ａ１部分、或いはＡ２部分の切り離し判定に用いるために設けられた切り離し判定用線路である。
【００２１】
図２は、図１に示すＩＣタグの立体構造を示す斜視図である。図２に示すように、本実施の形態によるＩＣタグは、紙、プラスチック等の絶縁体基板９０上に設けられている。絶縁体基板９０の一辺に沿って共通ＧＮＤ線９１が設けられており、この共通ＧＮＤ線９１は、ＩＣ１、２、３を接地するとともに、線路ＳＬ１２、ＳＬ２１、ＳＬ２３、ＳＬ３２も接地する。
【００２２】
図３は、ＩＣ１（１０）の構成例を示すブロック図である。図３に示すように、ＩＣ１（１０）は、アンテナからの受信信号の一部を、電力に変換する電源回路１１と、タグの外部インタフェースであるアンテナ１に対して信号の受信・送信を行なう送受信回路１２と、エンコードされたデータを変調する変調回路１３と、受信信号を復調する復調回路１４と、送信データのエンコード、及び受信データのデコードを行なうエンコード／デコード回路１５と、エンコード／デコード回路１５、或いは信号線Ｌ１を介して送られてきたデータの処理を行なうデータ処理回路１（１６）と、記憶装置１（１８）と、データ処理回路１（１６）と記憶装置１（１８）との動作を、タグの状態に応じて制御する制御回路１（１７）と、部分Ａ１が部分Ａ２から切り離されたか否かを、部分Ａ１自身が判定するＡ１切り離し判定回路２（１９）と、を有している。電源回路１１は共通電源線に接続され、データ処理回路１（１６）はＩＣ（１）とＩＣ（２）とを結ぶ線路Ｌ１に接続され、Ａ１切り離し判定回路２（１９）は、線路ＳＬ１２と接続されている。
【００２３】
図４は、ＩＣ２（２０）の構成例を示す図である。図４に示すように、ＩＣ２（２０）は、受信信号の一部を、電力に変換する電源回路１１と、タグの外部インタフェースであるアンテナ２に対して信号の受信・送信を行なう送受信回路１２と、エンコードされたデータを変調する変調回路１３と、受信信号を復調する復調回路１４と、データのエンコード及びデコードを行なうエンコード／デコード回路１５と、データの処理を行なうデータ処理回路２（２１）と、記憶装置２（２３）と、データ処理回路２（２１）と記憶装置２（２３）との動作を、タグの状態に応じて制御する制御回路２（２２）と、部分Ａ１が部分Ａ２から切り離されたか否かを、部分Ａ２が判定する「Ａ１切り離し判定回路１」（２４）と、部分Ａ２が部分Ｂから切り離されたか否かを、部分Ａ２自身が判定する「Ａ２切り離し判定回路２」（２５）と、を有している。
【００２４】
図５は、ＩＣ３（３０）の構成例を示す機能ブロック図である。図５に示すように、ＩＣ３（３０）は、受信信号の一部を、電力に変換する電源回路３（１１）と、タグの外部インタフェースであるアンテナ３に対して信号の受信・送信を行なう送受信回路１２と、エンコードされたデータを変調する変調回路１３と、受信信号を復調する復調回路１４と、データのエンコード及びデコードを行なうエンコード／デコード回路１５と、データの処理を行なうデータ処理回路３（３１）と、記憶装置３（３３）と、データ処理回路３（３１）と記憶装置３（３３）との動作を、タグの状態に応じて制御する制御回路３（３２）と、部分Ａ２が部分Ｂから切り離されたか否かを、部分Ｂが判定する「Ａ２切り離し判定回路１」３４と、を有している。
【００２５】
図６ａは、ＩＣ２（２０）のＡ１切り離し判定回路１（２４）の構成例を示す機能ブロック図である。図６ａに示すように、Ａ１切り離し判定回路１（２４）は、信号線路Ｌ１の切り離し判定回路１（４０）と、線路ＳＬ２１のインピーダンスの変化を検出するインピーダンス変化検出回路１（５０）とから構成されている。
【００２６】
【表１ａ】
2006119899.tif 000003
【００２７】
【表１ｂ】
2006119899.tif 000004
【００２８】
【表１ｃ】
2006119899.tif 000005
【００２９】
【表１ｄ】
2006119899.tif 000006
【００３０】
信号線路Ｌ１の切り離し判定回路１（４０）は、ＩＣ１（１０）から信号線Ｌ１を介して送られた識別用データと、照合用データ４２との照合を行い、表１ａに示すように信号線Ｌ１を介してＩＣ１から送られた識別用データと照合用データ４２とが一致した場合は、「０」を出力し、識別用データと照合用データ４２とが一致しなかった場合は、「１」を出力する。
【００３１】
同様に線路ＳＬ２１のインピーダンスの変化を検出する「インピーダンス変化検出回路１」５０は、線路ＳＬ２１が、共通ＧＮＤに接地された状態にあるか否かを検出し、表１ａに示すように、線路ＳＬ２１が共通ＧＮＤに接地された状態では「０」を出力し、線路ＳＬ２１が切断され開放状態となった場合には「１」を出力するように構成されている。
そして、Ａ１切り離し判定回路１（２４）は、表１ａに示すように「信号線路Ｌ１の切り離し判定回路１」の出力と、「インピーダンス変化検出回路１」の出力と、の論理積を算出し、この論理積が「１」となった場合に、Ａ１がタグから切り離されたと判定する。
【００３２】
尚、信号線路Ｌ１の切り離し判定は、ＩＣ１（１０）とＩＣ２（２０）とに予め記憶させておいたデータを、それぞれ識別用データと照合用データとして照合する方式を採用しても良いし、ＩＣ２（２０）から信号線路Ｌ１を介して任意の照合用データをＩＣ１（１０）へ送信し、ＩＣ１（１０）が受信した任意の照合用データを識別用データとして返信し、これを「信号線路Ｌ１の切り離し判定回路１」４０において照合する方式を採用しても良い。
【００３３】
また、前記Ａ１切り離し判定回路１（４０）の動作説明においては、「信号線路Ｌ１の切り離し判定回路１」４０の出力と、「インピーダンス変化検出回路１」５０の出力との論理積をＡＮＤ回路５４により算出し、論理積が「１」となった場合に、Ａ１がタグから切り離されたとものと判断しているが、判定方法はこれに限定されるものではない。例えば、「信号線路Ｌ１の切り離し判定回路１」４０の出力と、「インピーダンス変化検出回路１」５０の出力との論理和が「１」となった場合、すなわち信号線路Ｌ１、或いは線路ＳＬ２１のいずれか１つが切断された場合に、部分Ａ１がタグ本体から切り離されたと判定する方式を採用してもよい。この場合にはＡＮＤ回路５４の代わりにＯＲ回路を用いる。
【００３４】
尚、例えば図６ａにおいて、ＡＮＤ回路５３においては、２つの入力が共通化されている。切り離し線１が切り離される前には線路ＳＬ２１が切断されておらず、ＧＮＤの電位となっているため、ＡＮＤ回路５３の２入力も“０”となり、出力が“０”となる。一方、切り離し線１が切り離されると線路ＳＬ２１も切断されるため、ＡＮＤ回路２３の２入力は“１”となり、出力がＲ２×Ｖｃｃ/Ｒ１×Ｒ２（これを“１”とする）となる。このようにして、ＳＬ２１のインピーダンスを検出し、切り離しを検出することができる。
【００３５】
Ａ１切り離し判定回路１（２４）以外の残る３つの切り離し判定回路の構成を、図６ｂ、図６ｃ、及び図６ｄに示すとともに、各切り離し判定回路の切り離し判定表を表１ｂ、表１ｃ、及び表１ｄに示す。尚、上記３つの切り離し判定回路の構成、及び動作原理は、基本的に上述したＡ１切り離し判定回路１と同じであるため、ここでは説明を省略する。
【００３６】
図７ａ、図７ｂ、及び図７ｃは、記憶装置１（１８）、記憶装置２（２３）、及び記憶装置３（３３）の構成例を示す機能ブロック図である。
【００３７】
図７ａに示すように、記憶装置１（１８）は、データ処理回路１（１６）からの記憶領域１（６４）および書き込み制御回路６１、読み出し制御回路６２、読み取り専用化回路６３を有している。書き込み制御回路６１は、制御装置１からの書き込み要求の制御データに基づいて、ＩＣタグの持つ第１の機能の動作に基づくデータ処理回路１（１６）からの書き込みデータを記憶領域１（６４）に記録する。読み出し専用化回路６２は、制御回路１（１７）からの読み取り専用化要求の制御データに基づいて、記憶領域１（６４）へデータの書き込みを妨げる。これによってデータの書き込みを行うことができなくなり、記憶装置１（６４）は読み取り専用となる。読み出し制御回路６２は、制御装置１（１７）からの読み出し要求の制御データに基づいて、記録領域１（６４）に記録されているデータをデータ処理装置３（３１）へと送り出す。
【００３８】
図７ｂに、ＩＣ２の記憶装置２の構成を示す図である。図７ｂに示すように、記憶装置２（２３）は、記憶装置１（１８）と同様に構成されており、記憶領域２（６５）に対して第２の機能の動作に基づく記録の書き込み処理および読み出し処理、読み取り専用化処理を行う。
【００３９】
図７ｃは、ＩＣ３の記憶装置３（３３）の構成例を示す図である。図７ｃに示すように、記憶装置３（３３）は、書き込み処理および読み出し処理、読み取り専用化処理については記憶装置１（１８）と同様の処理を行う。但し、記憶装置３（３３）は、第３の機能の動作に基づくデータを記録する記憶領域３（６６）に加えて、ＩＣ１およびＩＣ２がそれぞれ司る第１の機能および第２の機能の動作を記録するための、記憶領域１（６４）および記憶領域２（６５）から構成されている。
【００４０】
図１に示すＩＣタグに関して、以下のように流通過程に沿って処理を行う。１）部分Ａ１、部分Ａ２、及び部分Ｂが全て揃っている状態で、タグに製品識別コード、製造番号、製造年月日、出荷日時等のデータの入力し（記憶装置に記憶させ）、製品に添付する。２）工場出荷時点でタグから部分Ａ１を切り離し、販売店へ出荷するここで、切り離された部分Ａ１は、出荷元控えとして残す。３）販売店において、販売日時、販売店名等のデータを入力する。その上で、部分Ａ２を切り離し、部分Ｂだけとなったタグの付いた製品を購入者へ渡す。この際、切り離された部分Ａ２は、販売店控えとして残す。４）製品と共に購入者へ渡された部分Ｂだけのタグは、購入者控えとなる。
このような商品の流通管理に本実施の形態によるタグを利用した場合タグの状態変化と、それに伴うタグの機能変化との対応関係の一例を表２に示す。
【００４１】
【表２】
2006119899.tif 000007
【００４２】
尚、表２では、第１の機能を実現する制御の全てをＩＣ１（１０）が、第２の機能を実現する制御の全てをＩＣ２（２０）が、それぞれ司っている。すなわち、工場出荷時においては、ＩＣ１（１０）は、タグ外との通信制御、ＩＣ２（２０）、ＩＣ３（３０）との通信、記憶装置１から３までの記憶領域１のアドレスを指定、記憶装置１から３までの記憶領域１へのデータ１の書き込み命令の送出、記憶装置１の記憶領域１へのデータ１の書き込み、読み出しを含む機能を有しており、これにより、製品識別コード、製造番号、製造年月日、出荷日時等のデータ（データ１）の入出力を行う第１の機能を発揮する。ＩＣ２（２０）は、ＩＣ１、ＩＣ３との通信、ＩＣ３（３０）の記憶装置３へ記憶領域１以外への書き込み禁止命令の送出、記憶装置２の記憶領域１へのデータ１の書き込みを含む機能を有している。ＩＣ３（３０）は、ＩＣ１（１０）、ＩＣ２（２０）との通信、記憶装置３の記憶領域１へのデータ１の書き込みを含む機能を有している。
【００４３】
販売店では、部分Ａ１は切り離されており、ＩＣ２（２０）は、タグ外との通信制御、ＩＣ３（３０）との通信、記憶装置２と３の記憶領域２のアドレスを指定、記憶装置２の記憶領域２へのデータ２の書き込み、読み出し、記憶装置２の記憶領域１の読み出し専用化（リードオンリー）を含む機能を有しており、これにより、データ１の出力と、販売日時、販売店名等のデータ（データ２）の入出力とを含む第２の機能を発揮する。
【００４４】
ＩＣ３（３０）は、ＩＣ２（２０）との通信、記憶装置３の記憶領域１の読み出し専用化、記憶装置３の記憶領域２へのデータ２の書き込みを行う。
【００４５】
購入者（購入後）は、部分Ａ１，Ａ２は切り離されており、ＩＣ（３０）は、Ａ２切り離し済み、タグ外との通信制御、記憶装置３の記憶領域１と２の読み出し専用化（リードオンリー）、記憶装置３の記憶領域３に対するデータ３の書き込み、読み出し、を含む機能を有しており、データ１及びデータ２の出力と、購入者によるメモ等の任意のデータ（データ３）の入出力とを含む第３の機能を発揮する。
【００４６】
読み出し専用化を行うのは、それぞれのＩＣタグにおいて、ある領域が切り離された後は、切り離されたタグが担っていた機能の一部（そのタグに専用の記憶領域への情報の書き込み等）ができないようにするのが好ましいからである。
【００４７】
【表３】
2006119899.tif 000008
【００４８】
これに対して、表３のように第1の機能を実現する制御機能の一部をＩＣ１（１０）とＩＣ２（２０）とが、第２の機能を実現する制御機能の一部をＩＣ２（２０）とＩＣ３（３０）とが、それぞれ分担するようにしてもよい。また、第３の機能である記憶装置３の記憶領域３へのデータの書き込みを、ＩＣ２が阻害するようにしても良い。
【００４９】
すなわち、工場出荷時においては、ＩＣ１（１０）は、タグ外との通信制御、ＩＣ２、ＩＣ３との通信、記憶装置１から3の記憶領域１へのデータ１の書き込み命令の送出、記憶装置１の記憶領域１へのデータ１の書き込み、読み出しを行い、ＩＣ２（２０）は、ＩＣ１、ＩＣ３との通信、記憶装置１から３の記憶領域１のアドレスを指定、ＩＣ３の記憶装置３へ記憶領域１以外への書き込み禁止命令の送出、記憶装置２の記憶領域１へのデータ１の書き込みを行う。表２の場合と比較すると明らかなように、ＩＣ１（１０）の一部の機能（第１の機能）をＩＣ２（２０）に分担させている。
【００５０】
表３のように１つの機能を実現するための機能を複数のＩＣに分散した場合、ＩＣを含むタグを切り離す順序を無視して切り離すと、タグが正常に動作しないため、使い物にならず、不正使用を抑制できるという効果がある。
【００５１】
尚、上記実施例においては、タグと外部の情報のやり取りは、電波に代表される無線を用いた非接触型を採用しているが、これに限定されるものではなく、接触型を採用してもよい。
【００５２】
以下に、本実施の形態によるＩＣタグの形状について説明する。図１０は、ＩＣタグの形状の例を示す図である。図１０（ａ）に示すＩＣタグは、絶縁基板に切れ込み（貫通孔および／又は端部の切り込み）を入れたＩＣタグの例であり、図１０（ｂ）は切り離し部を裂けやすい素材に変更したＩＣタグの例であり、図１０（ｃ）はＩＣタグを重ね合わせて接続したＩＣタグの例である。図１０（ａ）の例は、タグＡと、タグＢと、タグＣと、から構成されており、タグを切り離す際には切り離し線のミシン目１０３に沿って切り離しを行う。
【００５３】
図１０（ｂ）に示すＩＣタグにおいても図１０（ａ）のＩＣタグと同様に、３つのタグＡ〜Ｃにより構成されている。図１０（ａ）に示すＩＣタグとの相違点は、図１０（ａ）の例が切り離し線にミシン目１０３を利用していたのに対して、図１０（ｂ）は、タグＡとタグＢ、タグＢとタグＣの切り離し線近辺の基板１０１の素材１０１ａを基板１０１の素材から変更することにより切り離し線に沿って切り離しができるようにした例である。
【００５４】
尚、素材１０１と１０１ａとしては、例えば、以下のものが挙げられる。
・  １０１：コーティングありの紙、１０１ａ：コーティングなしの紙。
・  １０１：ビニル系素材、１０１ａ：紙素材。
・  １０１：引っ張り強度が強い素材、１０１ａ：引っ張り強度が弱い素材。
【００５５】
図１０（ｃ）は、図１０（ａ）、（ｂ）の例が水平方向にタグが接続されていたのに対して、垂直方向にタグの接続がなされている例を示す図である。図１０（ｃ）の例では、配線は左端の接続部１０５において面と面とが接着などにより接続されている。図１０（ｃ）の例では、タグを切り離す際には、一番上のタグを下のタグから引き剥がして利用する形態となっている。このように、タグの部分を切り離す場合にも、最初の接続状態によって切り離し方が異なる。
【００５６】
尚、本実施の形態によるタグを実際の使用環境で利用する場合は、タグの取り扱いの不備により切り離し部の一部が切断されることがある。例えば、切断された部分が、ちょうど図１１に示すＩＣ１（１１１）とＩＣ２（１１２）とを結ぶ配線Ｌ９１の位置と重なる場合には、配線Ｌ９１が切断される。配線Ｌ９１が切断されると、上述のタグの構成上、利用者が意図しないタグの機能の切替が発生してしまい、使用上不都合が生じる。図１１には、このような問題に対応するための配線の配置の工夫を行った一例も示している。図１１に示すように、タグＡとタグＢは、基板の端部からの距離の異なる第１の配線Ｌ９１と第２の配線Ｌ９２とを設けている。これにより、一方の配線（図１１では第１の配線Ｌ９１）が何らかの原因により切断されても、もう一本の配線Ｌ９２が存在しているため、配線が切断されたとは判断されない。従って、破損などに起因するタグの切り離しに関する誤判断を防止することができる。
【００５７】
図１２に示す構造では、配線Ｌ１１７によりタグＡとタグＢとが接続されており、切り離し用の線１１５（ミシン目）の周囲にも金属配線による被覆１１７がなされている。切り離し用の線１１５の近傍において意図せぬ切断が生じやすいことを考慮している。配線Ｌ１０１は切り離し用の線１１５の近傍においてはこの被覆１１７により接続されているため、切り離し用の線１１５のうち例えば端部近傍において意図しない切断が生じても、配線Ｌ１０１自体は電気的接続を維持し、切り離し用の線１１５が完全に切断された場合にのみ配線Ｌ１１７の切断が検知される。
【００５８】
図１３は、配線パターンの他の例を示す図である。図１３に示す配線パターンは、ＩＣ１とＩＣ２との間に接続されている配線Ｌ１２７に加えて、切り離し用の線１２５の穴１２５ａを囲むように第２の配線Ｌ１２１が設けられている。この構造においても図１２に示す構造と同様に切り離し線１２５近傍での一部切断に起因する配線Ｌ１２７の切り離しの誤検出を防止できるという効果が得られる。
【００５９】
図１４に示す構造では、ＩＣ１とＩＣ２との間の配線を面的に接続する場合の例を示す。図１４は、２つのタグを連結する構成を分解して見た図である。図１４（Ａ）の第１の基盤１３０上には切り離し線１３５の左側に、タグＡを構成するＩＣ１（１３１）およびアンテナ１３３が実装されている。図１４（Ｄ）の基盤１４０上にはタグＢを構成するＩＣ（２）１４１とアンテナ１４３とが実装されている。タグＡとタグＢとは、図１４（Ｂ）、（Ｃ）に示すシート１５０上に形成された配線１５１と、シート（絶縁フィルム）１５３上に形成された配線１５５により相互に接続される。すなわち、図１４（Ａ）〜（Ｄ）までの４枚重ねの構成になっている。尚、この例では、タグの数が２の場合について示したがタグの数が３以上の場合でも同様に構成することができる。
【００６０】
本実施の形態によるＩＣタグの別の接続形態について、図１５に示す構成は、ＩＣタグを重ね合わせて用いる形態である。タグＡ、タグＢおよびタグＣは、絶縁基盤１６１、１６３、１６５と、ＩＣ１（１６１ａ）、ＩＣ２（１６３ａ）、ＩＣ３（１６５ａ）と、アンテナ１６１ｂ、１６３ｂ、１６５ｂおよび配線パターン１６１ｃ−１、１６１e−２、１６３ｃ−１、１６５ｃ−１により構成される。タグＡ、タグＢ、タグＣは、端部の接続部１６７においてそれぞれが相互に接続されている。それぞれのタグは、基板１６１ｄ、１６３ｄ、及び１６５ｄにおいて配線１６１ｃ−２、配線１６３ｃ−１、配線１６５ｃ−１上に形成されており、タグＡをタグＢから取り外すと（１６１ｅをめくる）、接続部１６７において電気的な接続が無くなり切り離しが行われる。以下タグＢ、タグＣについても同様である。
【００６１】
図１５においては、接続面１６７が左端に配置されている例を示したが、接続部１６７の位置は限定されるものではない。例えば、タグが重なる部分全体を接続面としても良い。
【００６２】
図１６は、重ね合わせＩＣタグの配線構成例を示す図である。図１６（ａ）は、タグＡの構成例を示す図である。絶縁基板Ａ１７０上にタグＡを構成するＩＣ１（１７１）とアンテナ１７３が形成されるとともに、ＩＣ１（１７１）と左端部とを結ぶ配線パターンＬ４０１Ａ，Ｌ４０２Ａ，Ｌ４０３Ａが配置されている。図１６（ｂ）は、絶縁フィルムであり、パターンは形成されていない。図１６（ｃ）は、タグＢの構成例を示す図であり、図１６（ｃ）は、タグＡと同様に絶縁基板Ｂ１８０上にＩＣ２（１８１）と、アンテナ１８３と、配線パターンＬ４０１Ｂ〜Ｌ４０３Ｂが配置されている。
【００６３】
タグＡはタグＢの上面に重ねて配置される。タグＡとタグＢとの間は、図１６（ｂ）に示す絶縁フィルムにより絶縁されている。タグＡとタグＢの配線Ｌ４０１ＡとＬ４０１Ｂとは、それぞれ接続部１７５、１８３において電気的な接続がなされている。すなわち、絶縁シート１７７は、接続部１７５、１８３を除く絶縁基板Ａ１７０、絶縁基板Ｂ１８０の間を絶縁する面積を有しており、接続部１７５、１８３においてＬ４０２ＡとＬ４０１Ｂ，Ｌ４０３ＡとＬ４０３Ｂを接続する。ＩＣ１（１７１）、ＩＣ２（１８１）から出た配線は、複数本（ここでは３本）に枝分かれしており、接続部においては配線１本につき複数の接続箇所を有している。
【００６４】
タグＡとタグＢとは接着剤等で絶縁基板と接着されているが、接着剤の粘着力や時間変化により接続部１７５、１８３における接着が剥がれ、タグＡとタグＢとの電気的な接続がなくなるおそれがある。そこで、図１６に示すように、Ｌ４０１ＡとＬ４０１Ｂとの接続は複数箇所で行われており、そのすべての接続が切れない限り電気的な接続が維持される。Ｌ４０２ＡとＬ４０２Ｂ，Ｌ４０３ＡとＬ４０３Ｂも同様である。図１６に示す接続形態では、それぞれの配線に接続箇所３箇所のすべての接触が無くならない限り、切り離しは行われない。本実施例において配線パターンの配置はすべて規則的かつ均等に配置されているが、不規則・不均等な配置でも良い。
【００６５】
次に、本発明の第２の実施の形態によるタグであって、の流通管理への応用を考慮したタグについて説明する。本実施の形態においては、切り離し部をあえて容易に切り離し可能とする構成にすることで、別の用途に利用することが出来る。また、精密機械や薬品などの揺れに弱い物品を運送する際には、運送中の取り扱いに注意が必要となる。本実施の形態では、タグの切り離し部に力が加えられた場合に、一部の破断で機能変化を生じさせることができる手法について説明する。図１７は、切断を容易にする上記目的に適するように、基板１９０上に設けられた切り離し部１９１における配線５００をジグザグに配置した図を示す。配線５００をジグザグに配置することにより配線が長くなり、切り離し線１９１の接続点の一部でも断絶するとＩＣ１（１９２−ａ）とＩＣ２（１９３−ａ）とを接続する配線（５０１〜５０３）が切断されるため、その確率が高くなる。
【００６６】
図１８は、瓶の封印に本発明の実施の形態によるＩＣタグを適用した場合の例を示す図である。ＩＣタグ３１０、３１３、３１５は瓶３０５とその蓋３０３とのちょうど境目に切り離し線３１０ａ、３１３ａ、３１５ａが貼り付けられている。
【００６７】
図１９に図１８で瓶３０５に貼り付けるＩＣタグ３１０の例を示す。このＩＣタグ３１０は、タグＡとタグＢの二つのタグから構成される。タグＡとタグＢとは切り離し部３１０ａを介して接続されている。切り離し部３１０ａは、タグＡとタグＢとを結ぶすべての配線が通過している。接続部の電気的な接続が、瓶の内容物と反応し切断されるように材料を選択する。例えば、切り離し部の素材を瓶に含まれる内容物と反応し溶解する素材を用い、切り離し部を通過する配線を接続部の素材とともに消滅する導電性インクを用い配線することで、切り離し部３１０ａの配線を瓶の内容物の物質と反応し電気抵抗が増大する素材にしても良い。ＩＣタグを貼り付けた瓶を梱包箱３０８（図１８）に複数本同時に収納する。複数のＩＣタグを同時に読み込めるタグリーダを用い、ＩＣタグの機能変化の有無を確認することにより、梱包箱３０８を開けること無く、瓶の破損や内容物の漏れを確認することができる。
【００６８】
以上において説明したように、本実施の形態によるＩＣタグにおいては、切り離し可能部分を切り離すことで、従来の単機能型のＩＣタグにできなかった、機械を使わないＩＣタグの機能変更を容易に実現できる。切り離し可能部分を切り離すことで、ＩＣタグの外観を変化させ、ＲＦＩＣタグの状態を目視で把握できる。タグの切り離し状態に応じて、データの入出力制限を設けることで、データの改竄に対するセキュリティを向上させることができる。タグの機能を複数のＩＣに分担させることで、順番に従って、切り離し可能部分を切り離さないと、適切な機能変化が生じないようにすることで、セキュリティを向上させる。切り離した切り離し可能部分を、独立したＩＣタグとして使用することができる、等の効果を有する。
【００６９】
また、切り離し可能部分の配線の配置を工夫することにより、ＩＣタグの切り離し時の使い勝手を向上し、切り離し部の素材を変更することで、外部環境の変化でＩＣタグの機能変更を起すことが出来る。
【産業上の利用可能性】
【００７０】
本発明のタグは、商品の流通過程などに応用することができる。切り離しに関する構造を変化させることで、適した応用分野で有用となる。
【図面の簡単な説明】
【００７１】
【図１】本発明の実施の形態によるタグ本体からの切り離し可能部分の数ｎが、ｎ＝２のＩＣタグの構成図を示す平面図である。
【図２】図１のＩＣタグの立体構造を示す斜視図である。
【図３】ＩＣ１の構成例を示す機能ブロック図である。
【図４】ＩＣ２の構成例を示す機能ブロック図である。
【図５】ＩＣ３の構成例を示す機能ブロック図である。
【図６ａ】Ａ１切り離し判定回路１の構成例を示す機能ブロック図である。
【図６ｂ】Ａ１切り離し判定回路２の構成例を示す機能ブロック図である。
【図６ｃ】Ａ２切り離し判定回路１の構成例を示す機能ブロック図である。
【図６ｄ】Ａ２切り離し判定回路２の構成例を示す機能ブロック図である。
【図７ａ】記憶装置１の構成例を示す機能ブロック図である。
【図７ｂ】記憶装置２の構成例を示す機能ブロック図である。
【図７ｃ】記憶装置３の構成例を示す機能ブロック図である。
【図８】従来のＩＣタグを用いた管理システムの構成例を示す図である。
【図９】従来のＩＣタグのＩＣの構成を示す斜視図である。
【図１０】本実施の形態によるＩＣタグの形状について示す図であり、図１０（ａ）は絶縁基板に切れ込みを入れたＩＣタグの例であり、図１０（ｂ）は切り離し部を裂けやすい素材に変更したＩＣタグの例であり、図１０（ｃ）はＩＣタグを重ね合わせて接続したＩＣタグの例である。
【図１１】タグＡとタグＢとの切断点と配線との位置関係を示す図である。
【図１２】タグＡとタグＢとの間の配線の第１の接続パターン構成例を示す図である。
【図１３】タグＡとタグＢとの間の配線の第２の接続パターン構成例を示す図である。
【図１４】ＩＣ１とＩＣ２との間の配線を面的に接続する場合の例を示し、２つのタグを連結する構成を分解して見た図である。
【図１５】ＩＣタグを重ね合わせて用いる形態である。
【図１６】重ね合わせＩＣタグの配線構成例を示す図である。
【図１７】切断を容易にする配線の構成例を示す図である。
【図１８】瓶の封印に本発明の実施の形態によるＩＣタグを適用した場合の例を示す図である。
【図１９】図１８で瓶に貼り付けるＩＣタグの例を示す図である。
【符号の説明】
【００７２】
Ａ１、Ａ２…ＩＣタグのうち、切り離し可能な部分、Ｂ…非切り離し部分（タグ本体）、１、２、３…アンテナ、１０…ＩＣ１、２０…ＩＣ２、３０…ＩＣ３、Ｌ１、Ｌ２…信号線路。
【図１】
2006119899.tif 000009
【図２】
2006119899.tif 000010
【図３】
2006119899.tif 000011
【図４】
2006119899.tif 000012
【図５】
2006119899.tif 000013
【図６ａ】
2006119899.tif 000014
【図６ｂ】
2006119899.tif 000015
【図６ｃ】
2006119899.tif 000016
【図６ｄ】
2006119899.tif 000017
【図７ａ】
2006119899.tif 000018
【図７ｂ】
2006119899.tif 000019
【図７ｃ】
2006119899.tif 000020
【図８】
2006119899.tif 000021
【図９】
2006119899.tif 000022
【図１０】
2006119899.tif 000023
【図１１】
2006119899.tif 000024
【図１２】
2006119899.tif 000025
【図１３】
2006119899.tif 000026
【図１４】
2006119899.tif 000027
【図１５】
2006119899.tif 000028
【図１６】
2006119899.tif 000029
【図１７】
2006119899.tif 000030
【図１８】
2006119899.tif 000031
【図１９】
2006119899.tif 000032